(57)【要約】【課題】端子を折り曲げずに、他方の機器の端子が端子と端子台ブロックの間に挿入されることを防止する技術を提供する。【解決手段】端子台１０では、平板状の端子２２が、端子台ブロック１２の上面１２ａに載置されている。端子２２の先端部２２ｃは、上面１２ａの縁に連続する側面１２ｇから側面１２ｇの法線方向に突出している。側面１２ｂには、一対の突起部１４が配置されている。一対の突起部１４は、先端部２２ｃを挟んで配置されている。一対の突起部１４の突起部１４ａ、１４ｂのそれぞれの上端は、上面１２ａよりも高く端子２２の上端よりも低い。【選択図】図１
2017050136.tif 000002
【特許請求の範囲】
【請求項１】
上面と前記上面の縁から下方に連続する側面を備える端子台ブロックと、
前記上面に載置されており、前記縁から前記側面の法線方向に突出する先端部を備える平板状の端子と、
前記側面から前記側面の前記法線方向に突出しており、前記先端部を挟むように間隔を有して配置されている一対の突起部を備え、
前記一対の突起部のそれぞれの上端は、前記上面よりも高く前記端子の上端よりも低い、端子台。
【発明の詳細な説明】
【技術分野】
【０００１】
本発明は、端子台ブロックに載置される端子を有する端子台に関する。
【背景技術】
【０００２】
特許文献１に示されるように、電気機器同士を接続するために、一方の機器の端子台ブロックに載置されている端子上に他方の機器の端子を重ね合せる接続構造が採用される。特許文献１では、一方の機器の端子の先端は、端子台から前方に突出しており、端子台の側面に沿って下方に折り曲げられている。この構成では、他方の機器の端子を一方の機器の端子の前方から近づけて、一方の機器の端子に他方の機器の端子を重ねる際に、他方の機器の端子が一方の機器の端子の下側、即ち、一方の機器の端子と端子台ブロックとの間に挿入されることが防止されている。
【先行技術文献】
【特許文献】
【０００３】
【特許文献１】特開２０１１−６０６７０号公報
【発明の概要】
【発明が解決しようとする課題】
【０００４】
端子台に端子以外の部品を組み付けて、部品を集約することが検討されている。例えば、ハイブリッド車等の電力制御ユニットに用いられる端子台に、端子に流れる電流を検出する電流センサを組み付けることが望まれている。この場合、略リング状の集磁用コアに端子を挿入しなければならない。この場合、端子が折り曲げられていると、端子を集磁用コアに挿入することが難しい。
【０００５】
本明細書では、端子を折り曲げずに、他方の機器の端子が端子と端子台ブロックの間に挿入されることを防止する技術を提供する。
【課題を解決するための手段】
【０００６】
本明細書が開示する端子台は、上面と上面の縁から下方に連続する側面を備える端子台ブロックと、上面に載置されており、縁から側面の法線方向に突出する先端部を備える平板状の端子と、側面から側面の法線方向に突出しており、先端部を挟むように間隔を有して配置されている一対の突起部を備える。一対の突起部のそれぞれの上端は、上面よりも高く端子の上端よりも低い。
【０００７】
この構成では、一対の突起部が端子台ブロックの側面において先端部を挟んで配置されており、その上端が端子台ブロックの上面よりも上方に突出している。このため、他の機器の端子を端子に重ね合せる際に、一対の突起部によって他の機器の端子が端子の下に潜り込むこと、即ち、端子と端子台ブロックの間に挿入されることを防止することができる。また、一対の突起部の上端が、端子の上端よりも低いため、他の機器の端子が端子の上端と重ね合された状態で、一対の突起部が他の機器の端子と干渉することを防止することができる。この構成によれば、端子を折り曲げずに、他方の機器の端子が端子と端子台ブロックの間に挿入されることを防止することができる。
【０００８】
本明細書が開示する技術の詳細とさらなる改良は以下の「発明を実施するための形態」にて説明する。
【図面の簡単な説明】
【０００９】
【図１】実施例の端子台の上方斜視図である。
【図２】実施例の端子台ブロックの上方斜視図である。
【図３】実施例の端子台の端子のＸ軸方向中央を通過する断面の断面図である。
【図４】実施例の端子台にコネクタを連結する工程を説明するための上方斜視図である。
【図５】実施例の端子台にコネクタを連結する工程を説明するための図であって、端子台の端子のＸ軸方向中央を通過する断面の断面図である。
【発明を実施するための形態】
【００１０】
図１に示す端子台１０は、例えばハイブリッド車等に搭載されるインバータ（図示省略）の出力端子に用いられる。インバータは、バッテリから供給される直流電力をモータを駆動するための三相交流電力に変換する。インバータは、端子台１０を介して、パワーケーブルに接続される。
【００１１】
端子台１０は、端子台ブロック１２と、３つの端子２２、２４、２６を備える。端子台ブロック１２は、インバータに取り付けられている。端子台ブロック１２は、絶縁性の樹脂で作製されている。図２に示すように、端子台ブロック１２には、上面１２ａと上面１２ａのＹ軸方向の縁から鉛直下向き（即ちＺ方向下向き）に連続する側面１２ｇを有する。端子台ブロック１２の上面１２ａから上面１２ａの法線方向（即ちＺ軸方向）に延びるねじ穴１２ｂ、１２ｃ、１２ｄが配置されている。ねじ穴１２ｂ、１２ｃ、１２ｄは、Ｘ軸方向に間隔を開けて配置されている。
【００１２】
ねじ穴１２ｂ、１２ｃの間には仕切壁１２ｅが配置されている。仕切壁１２ｅは、矩形平板形状を有している。仕切壁１２ｅは、上面１２ａから上方に突出して、ねじ穴１２ｂとねじ穴１２ｃを隔てている。ねじ穴１２ｃ、１２ｄの間には仕切壁１２ｆが配置されている。仕切壁１２ｆは、矩形平板形状を有している。仕切壁１２ｆは、仕切壁１２ｅと平行に配置されている。仕切壁１２ｆは、上面１２ａから上方に突出して、ねじ穴１２ｃとねじ穴１２ｄを隔てている。
【００１３】
図１に示すように、端子台ブロック１２の上面１２ａには、３つの端子２２、２４、２６が載置されている。端子２２、２４、２６は、銅合金等の導電性金属で作製されている。端子２２、２４、２６は、インバータに電気的に接続されている。端子２２は、平板形状を有している。端子２２は、仕切壁１２ｅのねじ穴１２ｂ側に配置されている。端子２２は、その下面が上面１２ａに隙間無く接触するように配置されている。但し、端子２２は平板形状を有しているが、厳密には若干波打っていたり、湾曲していることがある。この場合、端子２２の下面と上面１２ａの間に微小な隙間が形成される場合がある。
【００１４】
端子２２の基部２２ｂには、ねじ穴１２ｂ上でねじ穴１２ｂに重なり合うように位置する貫通孔２２ａが配置されている。貫通孔２２ａは、ねじ穴１２ｂと同一の孔径を有する。貫通孔２２ａは、基部２２ｂの上端面から下端面に貫通している。
【００１５】
端子２２は、基部２２ｂの先端に先端部２２ｃを有する。先端部２２ｃは、側面１２ｇから法線方向（即ちＹ軸方向）に突出している。先端部２２ｃは、基部２２ｂのＸ軸方向の中央に位置する。先端部２２ｃのＸ軸方向の幅は、基部２２ｂのＸ軸方向の幅よりも小さい。
【００１６】
端子２２のＸ軸方向には、仕切壁１２ｅを隔てて、端子２４が配置されている。即ち、端子２４は、仕切壁１２ｅのねじ穴１２ｃ側に配置されている。端子２４は、平板形状を有している。端子２４は、端子２２と同様に端子２４の下端面が上面１２ａに隙間無く接触するように配置されている。但し、端子２４も、端子２２と同様に、端子２４の下面と上面１２ａの間に微小な隙間が形成される場合がある。
【００１７】
端子２４の基部２４ｂには、ねじ穴１２ｃ上でねじ穴１２ｃに重なり合うように位置する貫通孔２４ａが配置されている。貫通孔２４ａは、ねじ穴１２ｃと同一の孔径を有する。貫通孔２４ａは、基部２４ｂの上端面から下端面に貫通している。
【００１８】
端子２４は、基部２４ｂの先端に側面１２ｇから法線方向に突出する先端部２４ｃを有する。先端部２４ｃは、基部２４ｂのＸ軸方向の中央に位置する。先端部２４ｃのＸ軸方向の幅は、基部２４ｂのＸ軸方向の幅よりも小さい。
【００１９】
端子２４のＸ軸方向には、仕切壁１２ｆを隔てて、端子２６が配置されている。即ち、端子２６は、仕切壁１２ｆのねじ穴１２ｄ側に配置されている。端子２６は、基部２６ｂから上方に延びる接続部２６ｄを有する。端子２６は、接続部２６ｄを介してインバータに電気的に接続されている。端子２６は、端子２２と同様に端子２６の下端面が上面１２ａに隙間無く接触するように配置されている。但し、端子２６も、端子２２と同様に、端子２６の下面と上面１２ａの間に微小な隙間が形成される場合がある。
【００２０】
基部２６ｂには、ねじ穴１２ｄ上でねじ穴１２ｄに重なり合うように位置する貫通孔２６ａが配置されている。貫通孔２６ａは、ねじ穴１２ｄと同一の孔径を有する。貫通孔２６ａは、基部２６ｂの上端面から下端面に貫通している。端子２６は、基部２６ｂの先端に側面１２ｇに沿って平行に位置する下端部２６ｃを有する。下端部２６ｃは、基部２６ｂのＸ軸方向の中央に位置する。下端部２６ｃは、端子台ブロック１２の側面１２ｇからＹ軸方向に突出するカバー１８に覆われている。
【００２１】
側面１２ｇには、カバー１８の他に、二対の突起部１４、１６が配置されている。一対の突起部１４は、端子２２の先端部２２ｃを挟むようにＸ軸方向に間隔を置いて配置されている。一対の突起部１４のそれぞれの突起部１４ａ、１４ｂは、同一形状を有する。突起部１４ａ、１４ｂは、側面１２ｇから法線方向（即ちＹ軸方向）に突出している。突起部１４ａ、１４ｂのＹ軸方向の長さは、先端部２２ｃが側面１２ｇからＹ軸方向に突出する長さよりも長い。また、突起部１４ａ、１４ｂのＹ軸方向の長さは、先端部２２ｃの基部２２ｂからのＹ軸方向の長さと略等しい。なお、変形例では、突起部１４ａ、１４ｂのＹ軸方向の長さは、先端部２２ｃの基部２２ｂからのＹ軸方向の長さよりも長くてもよい。
【００２２】
図３は、端子２２の先端部２２ｃのＸ軸方向の中央を通過する断面を示す断面図であり、端子２２の先端部２２ｃと、先端部２２ｃと貫通孔２２ａの近傍の基部２２ｂの断面を示す。突起部１４ｂの上端は、先端部２２ｃの上端よりも下方に位置する。即ち、端子台ブロック１２の上面１２ａから突起部１４ａ、１４ｂの上端までの高さは、上面１２ａから先端部２２ｃの上端面までの高さよりも低い。突起部１４ａ、１４ｂの下端は、側面１２ｇの下端よりも上方に位置する。
【００２３】
図１に示すように、一対の突起部１４の間隔は、先端部２２ｃのＸ軸方向の長さよりも大きく、基部２２ｂのＸ軸方向の長さよりも短い。この構成によれば、端子２２が端子台ブロック１２に載置される際に、Ｙ軸方向にずれたとしても、基部２２ｂが一対の突起部１４に当接することによって、端子２２が上面１２ａの縁を越えて、Ｙ軸方向に大きくずれることを防止することができる。また、一対の突起部１４の間隔は、後述するコンデンサの端子２０２のＸ軸方向の長さよりも短い。
【００２４】
一対の突起部１６は、端子２４の先端部２４ｃを挟むように間隔を有して配置されている。一対の突起部１６のそれぞれの突起部１６ａ、１６ｂは、突起部１４ａ、１４ｂと同一形状を有する。突起部１６ａ、１６ｂは、側面１２ｇから法線方向（即ちＹ軸方向）に突出している。突起部１６ａ、１６ｂのＹ軸方向の長さは、先端部２４ｃが側面１２ｇからＹ軸方向の突出長さよりも長い。突起部１６ａ、１６ｂのＹ軸方向の長さは、先端部２４ｃの基部２４ｂからのＹ軸方向の長さと略等しい。図３に示すように、突起部１６ａ、１６ｂの上端と先端部２４ｃの上端の位置関係は、突起部１４ａ、１４ｂの上端と先端部２４ｃの上端の位置関係と同様である。
【００２５】
次いで、図４、図５を参照して、端子台１０にコネクタ２００を電気的に接続するために、端子２２、２４、２６をコネクタ２００の端子２０２に連結する工程を説明する。図４は、端子台１０にコネクタ２００を連結する工程を説明するための上方斜視図である。図５は、端子２２の先端部２２ｃのＸ軸方向の中央を通過する断面を示す断面図であり、端子２０２と、端子２２の先端部２２ｃと、先端部２２ｃと貫通孔２２ａの近傍の基部２２ｂの断面を示す。３つの端子２０２は、３つの端子２２、２４、２６に対応する位置に配置されている。図４に示すように、３つの端子２０２は、３つの端子２２、２４、２６の先端部２２ｃ、２４ｃ側から３つの端子２２、２４、２６に向けて近づけられる。このとき、図５に示すように、端子２２、２４に対応する端子２０２は、突起部１４、１６に当接すると、突起部１４、１６に案内されて、端子２２、２４と端子台ブロック１２の上面１２ａとの間に侵入することが防止されている。この構成によれば、端子２２、２４を折り曲げずに、端子２０２が端子２２、２４と端子台ブロック１２の上面１２ａとの間に挿入されることを防止することができる。このため、例えば、端子台１０に、端子２２、２４に流れる電流を検知するセンサを組み付ける場合に、略リング状の集磁用コアに端子２２、２４を容易に挿入することができる。
【００２６】
端子２６に対応する端子２０２は、端子２６の基部２６ｂと上面１２ａとの間の側面１２ｇ側に位置する下端部２６ｃによって、端子２６と端子台ブロック１２の上面１２ａとの間に侵入することが防止されている。
【００２７】
この結果、図５の破線で示されるように、３つの端子２０２は、３つの端子２２、２４、２６の上端面に重ね合わせられ、端子２０２の貫通孔２０４が、３つの端子２２、２４、２６に貫通孔２２ａ、２４ａ、２６ａに重なるように配置させることができる。突起部１４、１６の上端が、端子２２、２４の上端面よりも下方に位置するために、端子２２、２４の上端面に重ねられる端子２０２が、突起部１４、１６に干渉することを防止することができる。
【００２８】
次いで、端子２２、２４、２６の貫通孔２２ａ、２４ａ、２６ａと端子２０２の貫通孔２０４にねじを挿入し、端子台ブロック１２のねじ穴１２ｂ、１２ｃ、１２ｄに螺合することによって、端子２２、２４、２６と端子２０２とを、端子台ブロック１２に固定する。ねじを螺合する際に、端子２２、２４がねじの回転方向に力を受けた場合でも、先端部２２ｃ、２４ｃのそれぞれが突起部１４、１６のそれぞれに当接することによって、端子２２、２４が回転することを防止することができる。
【００２９】
本実施例では、端子台１０は、インバータに限られず、様々な機器に利用することができる。
【００３０】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３１】
１０    ：端子台
１２    ：端子台ブロック
１２ａ  ：上面
１２ｇ  ：側面
１４    ：突起部
１６    ：突起部
２２    ：端子
２２ｂ  ：基部
２２ｃ  ：先端部
２４    ：端子
２４ｂ  ：基部
２４ｃ  ：先端部
２６    ：端子
２６ｂ  ：基部
２６ｃ  ：下端部
２０２  ：端子
【図１】
2017050136.tif 000003
【図２】
2017050136.tif 000004
【図３】
2017050136.tif 000005
【図４】
2017050136.tif 000006
【図５】
2017050136.tif 000007